(57)【要約】    【課題】  扉収納ポケット部内の収納物を十分に冷却でき、収納性、意匠性にも優れた冷蔵庫を提供する。    【解決手段】  冷蔵室の背壁の幅中央部に冷蔵室側に突設するよう設けられたランプカバーと１９、このランプカバー１９の両側にランプカバーと同等の高さに突設して設けられた冷気通路１７と、この冷気通路１７の側縁に設けられランプカバー１９側に向けて冷気を吹き出す冷気吹出口２０とを備えた。【選択図】  図１
2006183900.tif 000002
【特許請求の範囲】
【請求項１】
冷蔵室の背壁の幅中央部に冷蔵室側に突設するよう設けられたランプカバーと、このランプカバーの両側に前記ランプカバーと同等の高さに突設して設けられた冷気通路と、この冷気通路の側縁に設けられ前記ランプカバー側に向けて冷気を吹き出す冷気吹出口とを備えた冷蔵庫。
【請求項２】
冷蔵室の幅中央部で前記冷気吹出口からの冷気の流れを前記冷蔵室の前面へ向かう流れに変えて、前記冷蔵室の前面を覆う冷蔵室扉に設けられた扉ポケット収納部を冷却する請求項１に記載の冷蔵庫。
【請求項３】
前記冷蔵室内にこの冷蔵室内を複数の空間に区画する棚板を備え、前記冷気吹出口は前記ランプカバーを挟んで１対で前記複数の空間毎に設けられる請求項１記載の冷蔵庫。
【請求項４】
前記冷気吹出口に対向するランプカバー表面を円弧状面又は傾斜面とし、前記冷気吹出口と対向した前記円弧状面又は前記傾斜面によって前記ランプカバー前面で冷気を合流させ扉ポケット収納部側に冷気を誘導するようにした請求項２に記載の冷蔵庫。
【請求項５】
前記冷気吹出口に、前記ランプカバーに向けて冷気を吹き出す傾斜面を設けた請求項１乃至４記載のいずれかに冷蔵庫。
【請求項６】
前記棚板の後端を直線状とし、その棚板の後端を前記冷気通路及び前記ランプカバーに当接若しくは近接させ設置した請求項３記載の冷蔵庫。
【発明の詳細な説明】
【技術分野】
【０００１】
本発明は開閉可能な扉を前面に有する冷蔵庫に関する。
【背景技術】
【０００２】
開閉可能な扉を前面に有し、庫内背面側から冷気を吹き出す構成を備えた冷蔵庫が特許文献１に開示されている。この冷蔵庫は、冷蔵室内に複数の棚板が配置されて複数段の空間を形成し、背面部に設けた冷気吹出口より、それら空間に冷気を吹出し、その空間を予め設定された温度に冷却するようにしている。このため、冷蔵室背面側に設けられる側方の冷気通路の側壁に複数の開口部を有しており、冷蔵室の奥方の内壁を形成する部材の外側周辺を覆う壁面部に上記の開口部と連通する複数の吐出部が凹設させて、冷蔵室内の空気を絶えず攪拌させるような構成としている。
【０００３】
【特許文献１】特開2001-221554号公報
【発明の開示】
【発明が解決しようとする課題】
【０００４】
以下、従来技術の課題について図面を用いて説明する。
【０００５】
図８は従来の冷蔵庫における冷蔵室の正面図である。この冷蔵庫本体５１は、図には示していないが冷蔵室５２の他に、この冷蔵室５２の下方に冷凍室及び野菜室を有している。冷蔵室５２の背部には冷気通路形成部材ともなる背面板５３が配されており、この背面板５３の裏面側には、図示しない冷却器側に接続された冷気受部５４とこの冷気受部５４に連なり、上方に位置して三つ又に分岐する冷気通路５５、５６、５７を有している。これらの冷気通路５５、５６、５７内で下方から上方へと冷気が送られる。
【０００６】
この冷気通路のうち、左右に設けられる冷気通路５５、５６は冷蔵室５２の側壁５２ａ側に冷気を吹き出す冷気吹出口５８、５９を上下に複数有している。また、後述するように、冷気通路５５、５６には庫内背面に沿って冷気を吹き出す開口部６０、６１も設けられている。
【０００７】
また、中央の冷気通路５７には冷蔵室５２内の冷気を循環させるために庫内循環ファン６２が備えられている。すなわち、冷蔵室５２内の冷気を冷気吸込口６３より吸い込み、庫内冷気循環ファン６２によって、冷気吸込口６３より吸込まれた冷気と、図示しない冷却器から送られる冷気とを混合させ上方へと送り、冷蔵室５２の天井に設けられた庫内灯カバー６４部近傍の冷気吹出口６５より冷蔵室５２に冷気を吹き出している。
【０００８】
次に、図９及び図１０を用いて冷気吹出口５８、５９近傍における冷気の流れの詳細を説明する。図９は図８の水平断面図であり、図８のＣ−Ｃ断面図である。図１０は、図９のＤ付近の拡大図である。冷気吹出口５８、５９から吹き出された冷気は矢印Ａのように冷蔵室扉５２ｂ側に向けて吹き出される。これと同時に、途中から分かれた冷気が開口部６０、６１によってより矢印Ｂのように背面板５３に沿って吹き出され、冷蔵室５２内を循環する冷気と混ざり合った状態で中央付近でぶつかり合い、それが冷蔵室５２の前方へ向かう矢印Ｃのような気流となり、冷蔵室内の空気を攪拌している。
【０００９】
このような冷気の流れにおいて、矢印Ａの冷気は棚板６６上の収納食品を冷却し、矢印Ｂの冷気は冷気通路形成部材５３の表面に付着した水分（水滴）を吸湿し両側より吹出された冷気Ｂは中央でぶつかり合い、今度は矢印Ｃの如く冷蔵室中央に向かい収納食品を冷却する。また、冷気吹出口５８、５９、開口部６０、６１は冷蔵室内に数枚設けられた棚板６６が作る空間６７にそれぞれ設けられている。
【００１０】
したがって、棚板６６によって区分された冷蔵庫５２に対しそれぞれ冷気吹出口５８、５９、開口部６０、６１が設けられているため、冷気吹出口より吹出される冷気量が小さくなり冷気吹出口５８、５９、開口部６０、６１より遠くにある扉収納ポケット部６８までには到達しにくいという課題があった。
【００１１】
そこで、この種の冷蔵庫においては、冷蔵室５２内に図８に示すように庫内冷気循環ファン６２を設け、冷蔵室５２内の空気を攪拌することによって、扉収納ポケット部６８を含め、冷蔵室５２内の温度を所望の温度にしていた。
【００１２】
しかし、冷蔵室５２内を冷却するのに両側壁近くから冷蔵室側壁５２ａに向けて吹き出す風路構成（冷気吹出口５８、５９）、及び冷気通路形成部材５３に沿うように各段に吹き出す風路構成（開口部６０、６１）を採用しているため、冷気通路５５、５６から吹き出される冷気が分散されてしまい、扉収納ポケット部６８に到達する気流に至らず、他の部分に比較して、扉収納ポケット部６８の温度が高くなりやすいという課題があった。
【００１３】
特に、１つの冷却器と１つの冷気強制循環ファンをもって冷凍室及び冷蔵室を冷却するようにした冷蔵庫にあってはこの問題が生じやすい。このような構成を有する冷蔵庫においては、冷却器を経た全ての冷気のうち、冷蔵室側に送られる冷気量は２〜３割となる。この少ない冷気量を、図８乃至図１０のように複数の冷気吹出口に分散させてしまうと、冷気が冷蔵室扉収納ポケット部６８まで到達しづらくなってしまう。
【００１４】
また、冷蔵食品を載置する棚板６６は、冷蔵室５２の内面形状に合せた形状とするのが普通であるが、背面の冷気通路及び冷気吹出口の形状、構造を複雑化すると、棚板６６の後端部も背面形状に合わせる必要があり、このため棚板６６の収納効率の悪化を招く場合があった。
【００１５】
さらには、冷気吹出口の近傍の構造が、図８に示すように正面から見える位置に設けられていたので、冷蔵室内の意匠性に影響を及ぼし、また、清掃時に邪魔になってしまう場合があった。
【００１６】
本発明は上記課題に鑑みてなされたものであり、扉収納ポケット部内の収納物を冷却でき、収納性、意匠性にも優れた冷蔵庫を提供することを目的とする。
【課題を解決するための手段】
【００１７】
上記目的を達成するために、本発明は、冷蔵室の背壁の幅中央部に冷蔵室側に突設するよう設けられたランプカバーと、このランプカバーの両側に前記ランプカバーと同等の高さに突設して設けられた冷気通路と、この冷気通路の側縁に設けられ前記ランプカバー側に向けて冷気を吹き出す冷気吹出口とを備えた。
【００１８】
また、冷蔵室の幅中央部で前記冷気吹出口からの冷気の流れの向きを前記冷蔵室の前面へ向かう流れの向きに変えて、前記冷蔵室の前面を覆う冷蔵室扉に設けられた扉ポケット収納部を冷却する構成とした。
【００１９】
また、前記冷蔵室内にこの冷蔵室内を複数の空間に区画する棚板を備え、前記冷気吹出口は前記ランプカバーを挟んで１対で前記複数の空間毎に設けられる構成とした。
【００２０】
また、前記冷気吹出口に対向するランプカバー表面を円弧状面又は傾斜面とし、前記冷気吹出口と対向した前記円弧状面又は前記傾斜面によって前記ランプカバー前面で冷気を合流させ扉ポケット収納部側に冷気を誘導するように構成した。
【００２１】
また、前記冷気吹出口に、前記ランプカバーに向けて冷気を吹き出す傾斜面を設けた。
【００２２】
また、前記棚板の後端を直線状とし、その棚板の後端を前記冷気通路及び前記ランプカバーに当接若しくは近接させ設置させた。
【発明の効果】
【００２３】
本発明によれば、扉収納ポケット部内の収納物を冷却でき、収納性、意匠性にも優れた冷蔵庫を提供するができる。
【発明を実施するための最良の形態】
【００２４】
以下、図面を用いて本発明の冷蔵庫の実施形態を説明する。図１は本発明の一実施形態を示す冷蔵庫の正面図で、扉を省略して示した図であり、図２は本実施例の冷蔵庫を側面縦断面図で、図１のＹ−Ｙ断面相当図である。
【００２５】
本実施例の冷蔵庫本体１は、箱体内部に上から順に冷蔵室２、野菜室３、冷凍室４を有している。冷蔵室２の前面開口部には回転式の冷蔵室扉５を、野菜室３の前面開口部には引出し式の野菜室扉６を、冷凍室４の前面開口部には引出し式の冷凍室扉８をそれぞれ備えている。野菜室３及び冷凍室４内には、それぞれ野菜室扉６、冷凍室扉８の引き出しに伴なって室外に引き出される野菜容器７、冷凍室容器９が配置されている。
【００２６】
冷蔵室２内には複数枚の棚板１０が配置されており、この棚板１０は合成樹脂、又はガラス製の板部材により構成され、冷蔵室２内を複数の空間２ａ、２ｂ、２ｃに区画している。冷蔵室２内に食品を収納する際には、この棚板１０上に食品が載置されることによって収納される。
【００２７】
冷凍室４の背部には冷却器１１が設置されており、冷蔵庫本体１の背面下部に配置される機械室内の圧縮機１２、及び図示しない凝縮器、キャピラリーチューブとともに冷凍サイクルを構成している。冷却器１１の下部には除霜用ヒータ１３が設けられ、冷却器１１に着霜した霜を強制的に融解している。冷却器１１の上方には冷気循環ファン１４が配設され、冷却器１１で冷却された冷気を冷凍室４及び冷蔵室２、野菜室３に強制的に送風し、これら各室を冷却した後の冷気を冷却器１１の下部から吸い込んでおり、冷気循環ファン１４によってこのような冷気循環が強制される。
【００２８】
なお、冷気循環用ファン１４によって吸い込まれる野菜室冷却用冷気は、冷蔵室２を冷却した冷気が野菜室３に回り、それが野菜室３冷却後、野菜室３の設けられた戻り口１５から戻りダクト１６を経由し、冷却器１１の下方位置に戻される。
【００２９】
このように本実施例の冷蔵庫は、１つの冷却器１１によって、冷蔵温度帯の貯蔵室である冷蔵室２及び野菜室３と、冷凍温度帯の貯蔵室４を冷却しており、冷気循環ファン１４によって、これらの冷気の流れを起こしている。
【００３０】
冷蔵室２へ送られる冷気は、冷却器１１で冷却された後、上述のように冷気循環用ファン１４によって、ダンパー１８を通過して冷蔵室側の冷気通路１７へと送られる。この冷気通路１７はダンパー１８の下流でＹの字状に分岐し、冷蔵室２の背壁両側をほぼ全高にわたって設けられ、冷蔵室２の上方位置まで至る。
【００３１】
また、左右に設けられた冷気通路１７には、冷蔵室２の幅方向中央部に向かって冷気を吹き出す冷気吹出口２０が設けられており、棚板１０によって仕切られた複数の空間２ａ、２ｂ、２ｃに対して冷気を供給している。なお、この詳細については後述する。
【００３２】
図３は、本実施例の冷蔵庫の水平断面図であり、図１のＡ−Ａ断面図である。図に示すように、冷気通路１７は冷蔵室２の断熱背壁２ｄより冷蔵室２の中央側に突して設けられ、両冷気通路１７の間に位置するランプカバー１９と奥行位置をほぼ合わせて配設されている。このランプカバー１９も冷蔵室２のほぼ全高にわたって設けられており、このランプカバー１９内には冷蔵室２の扉を開けたとき、冷蔵室２内の収納食品を確認することができる明るさに照らすための庫内灯２１が、１又は２個配設されている。このため、ランプカバー１９は、通常、合成樹脂製で光を透過しやすい材質が用いられる。
【００３３】
また、このランプカバー１９の冷蔵室２側への突出高さは、冷気通路１７を構成する背壁の突出高さとほぼ合わせるようにしてある。したがって、棚板１０の後端を直線状とすると、該後端は、ランプカバー１９及び冷気通路１７の近接位置まで至るか、あるいは接触する。すなわち、棚板１０の後端形状を、冷気通路１７及びランプカバー１９の突出高さに合わせて形成する必要がないので、空間２ａ、２ｂ、２ｃは、棚板１０により区画された空間と言ってもよく、上記構成によって収納効率も向上する。
【００３４】
このような背面構成としたことによって、冷気吹出口２０は、冷気通路１７の側端でランプカバー１９側に向けて冷気を吹き出すように設けられている。この冷気吹出口２０は図１にも示す如く、棚板１０が作る空間２ａ、２ｂ、２ｃに対して一対（２０ａと２０ｄ、２０ｂと２０ｅ、２０ｃと２０ｆ）が設けられている。そして、これらの一対の冷気吹出口（２０ａ−２０ｄ）（２０ｂ−２０ｅ）（２０ｃ−２０ｆ）の高さ位置を一致させて配置している。
【００３５】
このように冷気吹出口２０ａ乃至２０ｆを設けることによって、冷気吹出口２０より吹き出された冷気はランプカバー１９に沿って流れ、ランプカバー１９に水滴等があればこれを吸湿しつつ、ランプカバー１９の幅方向中央位置で合流する。この合流した冷気は、冷蔵室２の前側（冷蔵室扉５側）に向かって流れる。このように冷蔵室２内の冷気の流れを発生させることにより冷蔵室２（２ａ、２ｂ、２ｃ）を適温に冷却可能としている。
【００３６】
次に、図３を用いてランプカバー１９の中央で合流した冷気が冷蔵室２の前側、すなわち扉ポケット側、に向かう気流となって扉ポケット２２を冷却する状態について、図３を用いて説明する。
【００３７】
冷蔵室２内を冷却する際には、ダンパー１８（図１、図２に図示）が開状態となり、冷却器１１によって冷却された冷気が冷気循環用ファン１４（図１、図２に図示）によって、冷気通路１７内に送られる。冷気通路１７に送られた冷気は冷気吹出口２０（例えば２０ａ、２０ｄ）によって両冷気通路１７に挟まれた位置に設置されるランプカバー１９の側端にぶつかるよう吹き出される。
【００３８】
ここで重要なことは、空間２ａに対し、２個所の冷気吹出口２０ａ、２０ｄから吹き出された冷気は、ランプカバー１９の斜面がガイドとなることによって、冷蔵室２の中央側に向く流れに変えられることである。
【００３９】
上記のような流れを生成するために、正面から使用者には見えにくいところである冷気通路１７の側壁に冷気吹出口２０を設け、かつ、冷気をランプカバー１９の両冷気通路１７側の壁面（ここでは傾斜面１９ａ）に向けて吹き出し、冷気通路１７側の壁面１９ａをガイド傾斜面として利用している。本実施例では、このような冷気吹出し構造によって、冷蔵室扉５側に向かう冷気の流れを作りあげている。換言すれば、両冷気通路１７の間に位置するランプカバー１９を、その両側の壁面が傾斜するように設け、冷気吹出口２０と対向する位置に傾斜面１９ａを配設させた構成としたものである。
【００４０】
したがって、このガイド傾斜面１９ａによって、両冷気通路１７から内側に吹き出された冷気流は、単純な左右の流れから、前方側に向かう成分を有する冷気流に変換される。この変換された冷気同士が、ランプカバー１９の幅方向中央位置の前方で合流（衝突）するに至る。
【００４１】
合流（衝突）した冷気は、ガイド傾斜面１９ａによって前方側に向くよう傾向づけられていることよって、この位置で衝突した勢いによって、冷蔵室扉５側に向く気流に変換されるものである。このように冷蔵室扉５側に向く流れに変換された冷気は、図３の矢印に示したように、空間２ａはもちろんのこと、扉ポケット部２２に収納された収納物２３を冷却可能としている。
【００４２】
このように、扉ポケット２２の上段は冷気吹出口（２０ａ−２０ｄ）より吹き出された冷気により、中段は（２０ｂ−２０ｅ）より吹き出された冷気により、また、下段は冷気吹出口（２０ｃ−２０ｆ）より吹き出された冷気により、それぞれ冷却されるため、扉ポケット２２は上段から下段まで十分に冷却される。これとともに、冷蔵室２内も図３の冷気の流れを示す矢印のように冷気吹出口より吹き出された冷気（ランプカバー中央でぶつかり扉ポケット２２側に向かう気流）により中央から冷却されるものである。さらには、冷気の衝突によって反発した冷気の成分が、図３に示す矢印のように二つの循環経路によって空間２ａ内を循環しているため、空間２ａ内も十分に冷却される。
【００４３】
図４は、図３とは異なる形態を示す例であり、ランプカバー１９の形状を円弧状とした点を除いて、他は図３の実施形態と同じである。本例では、図３に示したランプカバー１９のガイド傾斜面１９ａを円弧状としており、冷気吹出口２０ａ、２０ｄより吹き出される冷気はランプカバー１９の弧状にあたり、前方側に向かう冷気流となり円弧に沿って流れ、ランプカバー１９のほぼ中央でぶつかり冷蔵室２（空間２ａ）前方側に向く。
【００４４】
前方側に向かう冷気は、図４に示す如く冷蔵室２（空間２ａ）内を中央から空間２ａ全体を冷却しつつ、扉ポケット２２内の収納物を冷却する。なお、冷蔵室２、扉ポケット２２を冷却し終えた冷気は図には示してないが野菜室３に供給され、先の実施例と同様に、冷却器１１へと戻される。
【００４５】
図５、図６に示す例は、ランプカバー１９を筒状となし、幅方向寸法を狭くする一方、冷気通路１７の冷気吹出口２０に、冷気吹出し方向に向かって前方側に傾斜させた傾斜面２０ｇを設けて、冷気吹出方向を冷蔵室２の前方側へとしたものである。図５は冷蔵室２の前面図であり、図６は図５のＢ−Ｂ断面図である。
【００４６】
すなわち、図５、図６に示した例は、冷気吹出口２０とランプカバー１９との距離Ｗを大きくとっており、このＷ寸法が大きくなると冷気吹出口２０（２０ａ、２０ｄ）より出た冷気がランプカバー１９によりガイドされにくくなる。そこで、これを補うのが冷気吹出口２０に設けた傾斜面２０ｇである。冷気の吹出し段階で、冷気吹出口２０ａ、２０ｄによって、ある程度前方側に傾斜づけられて吹き出された冷気は、円筒状ランプカバー１９にあたり、その形状によって誘導され、上述の例と同様に、冷蔵室扉５側に向けられた冷気を生じ、空間２ａを冷却しながら扉ポケット２２内の収納物２３を冷却する。
【００４７】
したがって、冷蔵室２内は勿論扉ポケット２２内の収納物２３ともに十分に冷却される。この実施形態は、冷気吹出口２０（２０ａ、２０ｄ）にも冷気の流れの方向づけする傾斜面２０ｇを設けたことを特徴とするものであり、この傾斜面２０ｇは冷気通路１７に内面に断熱シートを使用した際の、この断熱シートを合わせた通路壁の板厚内の傾斜面でもガイドとして機能する。
【００４８】
なお、この実施例では、Ｗ寸法を大きく取っているため、棚板１０上に食品が多数載置された場合であっても、冷蔵庫全体の冷気流れをスムーズにさせる効果がある。なぜなら、冷気吹出口２０の近くに冷気流れの障害となる収納物が載置された場合であっても、Ｗ寸法部から下方の空間２ｂへと冷気が流れるからである。この下方に流れた冷気は、空間２ｂの後方で、冷気吹出口２０ｂ、２０ｅからの冷気と合流し、空間２ｂ内を上述のように冷却可能である。
【００４９】
図７に示す例は、ランプカバー１９の中央に別部品のガイド部品２４を取付けた例を示すもので他は実施例１と同じである。図から明らかなように本実施形態に示すランプカバー１９は矩形の柱状をなしており、冷気吹出口２０ａ、２０ｄより出た冷気の向きを冷蔵室２の冷蔵室扉５側に変えるガイド斜面１９ａをランプカバー１９とは別部品であるガイド部品２４で作ったものである。すなわち、冷気吹出口２０ａ、２０ｄより出た冷気はガイド部品２４が作る円弧によってガイドされ、図７に示す風向き、すなわち、上述の実施例と同様の風向きに変換される。なお、ガイド部品２４の形状は、必ずしも円弧である必要はなく、図３のように斜面を有する形状としてもよい。
【００５０】
この際、ガイド部品２４の材質にはランプカバー２０の透光をあまり阻害することない材質を選ぶ必要がある。また、ガイド部品２４の頂部２４ａが冷気通路１７の奥行位置Ｈとほぼ同位置に設定される。この例では、ランプカバー１９とガイド部品２４の奥行寸法をプラスしたものがＨ寸法となっており、冷気吹出口２０ａ、２０ｄはガイド部品２４の作る円弧部に対向して設けられていると云うことである。
【００５１】
上記の各実施例によれば、冷却器を経た冷気は棚板により細分化された空間２ａ、２ｂ、２ｃに対し、冷気吹出口２０ａ−２０ｄ、２０ｂ−２０ｅ、２０ｃ−２０ｆよって冷気が吹き出されて冷気が案内されるため、一つの空間に対し吹出口が多数ある場合であっても、冷気が分散されにくい構成とすることができる。
【００５２】
すなわち、一つの空間２ａを冷却する冷気は、冷気吹出口２０ａ−２０ｄによって吹き出される構成であり、冷却器を経た全冷気のうち、空間２ａを冷却する冷気は主としてこの二つの吹出口に集約された構造である。したがって、従来のように冷蔵室２内の全体に分散することによって扉ポケット２２まで至らないという状況を回避できる。
【００５３】
また、二つの冷気吹出口より水平に吹出された冷気は、ランプカバー１９側に設けられたガイド斜面を利用して、ランプカバー１９の中央部に向けられ、この中央位置で他側の冷気吹出口より吹き出された冷気と衝突、合流し、冷蔵室扉ポケット側に向かう気流となる。この過程において、扉ポケット部２２に至る冷気と、空間２ａ内を冷却する冷気とがともに得られるため、これを繰り返すことによって冷蔵室空間２ａ及び扉ポケット２２の収納物２３は、冷蔵室２の設定温度にまで冷却され、扉ポケット部と棚板１０の収納空間の冷却を両立できる。すなわち、冷蔵室（空間）に吹き出される冷気の一部は分散されずに集約され、気流となって扉ポケット部に向かう構成とすることによって、扉ポケット部の収納物の冷却を十分に行うことができる。
【００５４】
また、扉ポケット部の収納量が拡大しつつある家庭用冷蔵庫においても、十分に冷却可能とすることができる。また、冷気吹出口２０を冷気通路１７の側面に設けたことによって、開口部分が正面から見えず、冷蔵室内の意匠性も向上される。さらには、ランプカバー１９表面の曇りをも低減し、収納物への悪影響を防止できるだけではなく、庫内灯２１の明かりを曇りによって遮ることはない。
【００５５】
また、ランプカバー１９を挟んで１対設けられた冷気吹出口２０を棚板１０で複数段の空間に分けられた空間毎に設けるようにしたものであるから、棚板で区分されたそれぞれの空間はほぼ均一に冷却され、冷気吹出口２０より吹き出された冷気は棚板１０の載置面によって前方へと誘導され、扉ポケット部２２にまで到達する。したがって、扉ポケット２２内の収納品２３の冷却を行なうことができる。
【００５６】
また、冷気吹出口２０に対向するランプカバー部に円弧又は傾斜面を設け、冷気吹出口２０から吹き出された冷気を合流させる構成としたので、ランプカバー自体の強度アップと冷気のスムーズな誘導が可能である。
【００５７】
また、各段の冷気吹出口に設けた傾斜面２０ｇと、ランプカバー１９の傾斜面１９ａを合わせて設けることによって、指向性を持って吐出された冷気がさらにランプカバー側の誘導ガイドによってスムーズにランプカバーに沿って流れ、ほぼ中央でぶつかって合流する際の反発力を低減でき、扉ポケット側への気流を生じやすくできる。
【００５８】
また、棚板１０の後端をほぼ直線状とし、冷気ダクト及びランプカバーに当接若しくは近接させ設置するようにしたため、棚板１０の形状をシンプルとでき、棚板１０に載置される食品を効率よく収納することができる。
【図面の簡単な説明】
【００５９】
【図１】本発明の一実施形態を示す冷蔵庫の正面図。
【図２】本実施例の冷蔵庫を側面縦断面図。
【図３】本実施例の冷蔵庫の水平断面図。
【図４】図１乃至図３とは異なる実施例の冷蔵庫の水平断面図。
【図５】図１乃至図４とは異なる実施例の冷蔵室の前面図。
【図６】図５のＢ−Ｂ断面図である。
【図７】図１乃至図６とは異なる実施例の冷蔵庫の水平断面図。
【図８】従来の冷蔵庫の正面図。
【図９】図８のＣ−Ｃ断面図。
【図１０】図９のＤ部詳細図。
【符号の説明】
【００６０】
１…冷蔵庫本体、２…冷蔵室、２ａ、２ｂ、２ｃ…空間、２ｄ…背面壁、３…野菜室、４…冷凍室、５…冷蔵室扉、１０…棚板、１１…冷却器、１４…冷気循環用ファン、１７…冷気通路、１９…ランプカバー、１９ａ…ガイド斜面、２０…冷気吹出口（２０ａ、２０ｂ、２０ｃ、２０ｄ、２０ｅ、２０ｆ）、２２…扉ポケット、２４…ガイド部品。
【図１】
2006183900.tif 000003
【図２】
2006183900.tif 000004
【図３】
2006183900.tif 000005
【図４】
2006183900.tif 000006
【図５】
2006183900.tif 000007
【図６】
2006183900.tif 000008
【図７】
2006183900.tif 000009
【図８】
2006183900.tif 000010
【図９】
2006183900.tif 000011
【図１０】
2006183900.tif 000012